(57)【要約】  【課題】  商品の管理、撮影画像の管理が効率的且つ確実に行なえ、設備コストを低減しながらも販売促進効果を十分に得ることのできる試着状態撮影システムを提供する。  【解決手段】  試着者を撮影する撮影手段２と、試着者特定データを入力する試着者登録手段３と、商品に取付けられた電子タグ４ａに記憶された商品特定データを読み取る電子タグ読取手段５で構成される試着商品登録手段６とを撮影エリアに設置し、撮影された画像データを試着者特定データ及び商品特定データと関連付けて記憶する画像データベース１０と、商品情報が格納された商品情報データベース１１と、画像データベースに記憶された画像データと商品特定データに基づいて商品情報データベースから得られた商品情報をプリントデータとして編集する画像編集手段１２と、画像編集手段により編集されたプリントデータを印刷出力する画像出力手段１３を備える。  【選択図】  図３
2006079143.tif 000002
【特許請求の範囲】
【請求項１】
試着者を撮影する撮影手段と、試着者特定データを入力する試着者登録手段と、商品に取付けられた電子タグと前記電子タグに記憶された商品特定データを読み取る電子タグ読取手段で構成される試着商品登録手段とを試着室とは異なる撮影エリアに設置し、前記撮影手段により撮影された画像データを前記試着者特定データ及び前記商品特定データと関連付けて記憶する画像データベースと、前記試着商品を含む商品情報が格納された商品情報データベースと、前記画像データベースに記憶された画像データと前記商品特定データに基づいて前記商品情報データベースから得られた商品情報をプリントデータとして編集する画像編集手段と、前記画像編集手段により編集されたプリントデータを印刷出力する画像出力手段と、顧客の注文に基づいて前記画像編集手段及び前記画像出力手段を管理するプリント管理手段と、前記電子タグに記憶された商品特定データを読み取り、前記試着商品の移動を管理する商品管理手段を備えてなる試着状態撮影システム。
【請求項２】
前記プリント管理手段は、前記試着者特定データに基づいて前記画像データベースから関連する画像データを検索して前記プリントデータを編集するように構成されている請求項１記載の試着状態撮影システム。
【請求項３】
前記画像編集手段は、前記画像データ及び前記商品情報のレイアウトを定める複数のテンプレートデータが記憶されたテンプレート記憶手段と、前記テンプレート記憶手段に記憶された任意のテンプレートに基づいて、前記画像データ及び前記商品情報をレイアウト表示する画像表示手段とを備え、前記画像表示手段に表示されたレイアウトを編集するように構成されている請求項１または２記載の試着状態撮影システム。
【請求項４】
前記商品情報データベースは、互いにコーディネート可能な複数の商品情報にリンク情報が付加されて構成され、前記プリント管理手段は、前記商品情報データベースから前記試着商品及び前記試着商品とコーディネート可能な他の商品に対する商品情報をプリントデータとして取り込むように構成されている請求項１から３の何れかに記載の試着状態撮影システム。
【請求項５】
前記商品情報データベースは、前記試着商品登録手段により登録された試着商品の試着頻度を管理するように構成されている請求項１から４の何れかに記載の試着状態撮影システム。
【発明の詳細な説明】
【技術分野】
【０００１】
本発明は、アパレル商品やバッグ、靴、アクセサリー等の装身具の試着状態撮影システムに関する。
【背景技術】
【０００２】
アパレルショップ等で商品を購入する際に、商品を試着してフィット感や着映えするか否か等を鏡に映して購入するか否かを判断することが多いが、体の側面や背面から評価するのは困難である。また、その場にいない第三者の感想を求めることもできない。そこで、任意の場所にてサービス利用者を撮影する撮影手段と、撮影手段により撮影された画像情報を入力して記憶する記憶手段と、記憶手段に記憶された画像情報をサービス利用者の携帯端末に配信する配信手段とを具備したシステムや、試着室内に撮影機器を備え、複数の撮影画像を表示機器で比較表示し、または撮影画像とともに商品情報を印刷出力する試着状態撮影システムが提案されている。
【特許文献１】特開２００２−３２５１６０号公報
【特許文献２】特開２００２−２０７８０２号公報
【発明の開示】
【発明が解決しようとする課題】
【０００３】
しかし、上述した従来の試着状態撮影システムは、販売促進のために試着状態を撮影し、表示装置に表示させ、または簡易的な印刷出力が可能に構成されるものであり、撮影手段が試着室に設置される場合には当該試着室が混み合うために他の顧客の利用が制限されるという不都合があり、撮影手段が試着室の外部に設置されるものではそのための撮影エリアを準備する必要が生じるために一つの店舗内でそのようなエリアを確保することが困難であるという不都合があった。
【０００４】
そこで、一つのフロアで複数の店が営業するアパレル専門店や百貨店で、共同の撮影エリアを確保し、試着状態撮影システムを共有するシステムが考えられるが、そのような場合に、撮影エリアで試着姿を撮影する顧客が多くなると、撮影画像の管理が煩雑となるばかりか、試着商品が売場内で様々に移動し、商品の管理が煩雑となるという不都合が生じる。
【０００５】
本発明の目的は、上述した従来の問題点に鑑み、商品の管理、撮影画像の管理が効率的且つ確実に行なえ、設備コストを低減しながらも販売促進効果を十分に得ることのできる試着状態撮影システムを提供する点にある。
【課題を解決するための手段】
【０００６】
上述の目的を達成するため、本発明による試着状態撮影システムの第一の特徴構成は、特許請求の範囲の書類の請求項１に記載した通り、前記試着者を撮影する撮影手段と、試着者特定データを入力する試着者登録手段と、商品に取付けられた電子タグと前記電子タグに記憶された商品特定データを読み取る電子タグ読取手段で構成される試着商品登録手段とを試着室とは異なる撮影エリアに設置し、前記撮影手段により撮影された画像データを前記試着者特定データ及び前記商品特定データと関連付けて記憶する画像データベースと、前記試着商品を含む商品情報が格納された商品情報データベースと、前記画像データベースに記憶された画像データと前記商品特定データに基づいて前記商品情報データベースから得られた商品情報をプリントデータとして編集する画像編集手段と、前記画像編集手段により編集されたプリントデータを印刷出力する画像出力手段と、顧客の注文に基づいて前記画像編集手段及び前記画像出力手段を管理するプリント管理手段と、前記電子タグに記憶された商品特定データを読み取り、前記試着商品の移動を管理する商品管理手段を備えてなる点にある。
【０００７】
上述の構成によれば、撮影手段による撮影画像を、その場に設置された試着者登録手段及び試着商品登録手段により登録されたデータと関連付けて画像データベースに格納できるので、多数の撮影画像を個別に識別可能な状態で管理できるようになるとともに、画像編集手段により試着商品に関連する商品情報を含めながらも、顧客の意思を反映させた内容でプリント出力できるので、単に試着品が似合うか否かという観点だけではなく、商品情報ガイドとしても、また記念写真としても保存可能なファッションアルバムとしての価値観が付加されたシステムとして提供できるようになるのであり、さらには、電子タグをベースに試着商品の位置を商品管理手段により管理できるので、試着商品が売り場でどのように移動しているかを捕捉して盗難防止を含めた管理が可能になるのである。
【０００８】
同第二の特徴構成は、同請求項２に記載した通り、上述の第一特徴構成に加えて、前記プリント管理手段は、前記試着者特定データに基づいて前記画像データベースから関連する画像データを検索して前記プリントデータを編集するように構成されている点にある。
【０００９】
上述の構成によれば、試着撮影が終了して画像で確認する場合に、画像データベースに格納された複数の画像データから必要な撮影画像が試着者特定データに基づいて一義的に検索できるので、撮影終了後にその場で順番に確認するといった効率の悪い手法を採る必要が無く、順番待ちの顧客を連続的に撮影しながらも、撮影済みの顧客に対して、その要望を確認しながら編集作業を行なうことができるようになるのである。
【００１０】
同第三の特徴構成は、同請求項３に記載した通り、上述の第一または第二特徴構成に加えて、前記画像編集手段は、前記画像データ及び前記商品情報のレイアウトを定める複数のテンプレートデータが記憶されたテンプレート記憶手段と、前記テンプレート記憶手段に記憶された任意のテンプレートに基づいて、前記画像データ及び前記商品情報をレイアウト表示する画像表示手段とを備え、前記画像表示手段に表示されたレイアウトを編集するように構成されている点にある。
【００１１】
上述の構成によれば、撮影画像を編集する場合に予め設定されたテンプレートデータに基づいてレイアウトが決定されているので、画像表示手段による表示画像を見ながらテンプレートに配置する撮影画像や商品情報を選択するという簡単な操作により顧客及び店舗側の双方が満足するプリントが容易且つ迅速に得られるのである。
【００１２】
同第四の特徴構成は、同請求項４に記載した通り、上述の第一から第三特徴構成の何れかに加えて、前記商品情報データベースは、互いにコーディネート可能な複数の商品情報にリンク情報が付加されて構成され、前記プリント管理手段は、前記商品情報データベースから前記試着商品及び前記試着商品とコーディネート可能な他の商品に対する商品情報をプリントデータとして取り込むように構成されている点にある。
【００１３】
上述の構成によれば、試着商品に対する品番、価格、色違い商品等の商品情報のみならず、試着商品とコーディネート可能な複数の商品情報がリンク情報に基づいて検索できるので、そのような商品情報をもプリントデータに取り込むことにより、店舗側としては販売機会の増大を図ることができるようになるのであり、顧客としても有益な商品購入情報を得ることができるのである。
【００１４】
同第五の特徴構成は、同請求項５に記載した通り、上述の第一から第四特徴構成の何れかに加えて、前記商品情報データベースは、前記試着商品登録手段により登録された試着商品の試着頻度を管理するように構成されている点にある。
【００１５】
上述の構成によれば、試着商品の試着頻度を管理することにより、販売するための商品としての価値の低減状態を把握できるようになるので、当該商品を購入した顧客からの汚れや破れといった苦情の発生を事前に回避できる可能性が高まるのであり、所定回数試着された商品を回収してアウトレット等の他の販売ルートに乗せるといった商品管理を行なうことができるようになるのである。
【発明の効果】
【００１６】
以上説明した通り、本発明によれば、商品の管理、撮影画像の管理が効率的且つ確実に行なえ、設備コストを低減しながらも販売促進効果を十分に得ることのできる試着状態撮影システムを提供することができるようになった。
【発明を実施するための最良の形態】
【００１７】
以下に本発明による試着状態撮影システムを説明する。試着状態撮影システムは、図１に示すように、一つのフロアで複数の店舗Ｓ１〜ＳＰ８が営業するアパレル専門店や百貨店に共有で構築されるもので、顧客が各店舗Ｓ１〜ＳＰ８の商品陳列棚（図中、長方形の枠で示されている）に陳列された商品から購入希望商品を取り出してフィッティングルームＦＲ（図２参照）で試着した後に、中央のエスカレータＥの側方に設けられた撮影エリア８に移動し、カメラ２で試着状態を撮影するという動作を一回または複数回繰り返した後に受付エリアＲで撮影画像を確認し、必要な場合には写真プリントを注文するシステムである。
【００１８】
前記撮影エリア８はカーテンで囲まれ、試着者１の試着状態を撮影する撮影手段２と、試着者特定データを入力する試着者登録手段３と、商品４に取付けられた電子タグ４ａと前記電子タグ４ａに記憶された商品特定データを読み取る電子タグ読取手段５で構成される試着商品登録手段６とが設置されている。撮影エリア８の中央部には撮影台が設置され、前後または左右からの試着状態が撮影可能に撮影台の前後に撮影手段２としてのデジタルスチルカメラが配置されている。
【００１９】
図３に示すように、前記試着者登録手段３は、試着者である顧客の所持するＩＤカードを読み取るためのＩＤカードリーダ３で構成され、ＩＤカードは各店共通で事前登録され、顧客に発行された磁気記録式のカードである。店舗に陳列されている商品４には、全てＩＣチップでなる電子タグ４ａが取り付けられており、電子タグ４ａには、撮影台の下部に設置された電子タグ読取手段５に設けられたアンテナから発信される電磁波エネルギーを蓄積して、その電力により電子タグ４ａに記憶された商品管理情報を発信する発信回路が設けられている。電子タグ読取手段５は電子タグ４ａから発信される商品管理情報に基づいて商品を個別に識別する受信回路が設けられている。
【００２０】
図６に示すように、上述の撮影エリア８に移動した試着者が、撮影エリア８に設置されたモニタ画面のガイダンス表示に基づいて（Ｓ１）、自らのＩＤカードをＩＤカードリーダ３に読み込ませた後に撮影台に移動すると（Ｓ２）、試着商品登録手段６により自動的に商品管理情報が読み取られ（Ｓ３）、カメラによる撮影が可能になる。試着者にはリモート式のレリーズスイッチユニット（ワイヤレスのユニットが好ましい）が貸与され、モニタ画面を確認しながらポーズを決め（Ｓ４）、レリーズスイッチをオン操作することにより撮影処理が終了する（Ｓ５，Ｓ６）。
【００２１】
カメラにより撮影された画像データは、撮影年月日データと画像入力手段２０により試着商品の商品管理情報である商品特定データ及び試着者のＩＤコードである試着者特定データと関連付けて画像データベース管理手段１０ａに送られ、画像データストレージユニット１０ｂに記憶される（Ｓ７）。つまり、画像データベース管理手段１０ａ及び画像データストレージユニット１０ｂで画像データベース１０が構成される。
【００２２】
図３及び図４に示すように、上述の受付エリアＲには、画像出力手段１３としての昇華型写真プリンタと、昇華型写真プリンタに出力する写真画像を編集処理する画像編集手段１２と、顧客の注文に基づいて前記画像編集手段１２及び前記画像出力手段１３を管理するプリント管理手段１４と、ＩＤカードリーダ３が設置されている。ここに、プリント管理手段１４は当該アプリケーションプログラムがインストールされたパーソナルコンピュータで構成することが可能である。
【００２３】
前記プリント管理手段１４には、前記ＩＤカードリーダ３と、前記画像データベース１０と、顧客データベース（顧客データベース管理手段７ａと顧客データストレージユニット７ｂとからなる）７と、商品情報データベース（商品情報データベース管理手段１１ａと商品情報ストレージユニット１１ｂからなる）１１がネットワーク接続されており、試着が終了した顧客が受付エリアＲに移動して係員にＩＤカードを提示し、係員がＩＤカードリーダ３にＩＤカードを読み取らせると、ＩＤコードに基づいて顧客管理手段７ａから顧客ＩＤ、氏名、年齢、住所等の顧客情報が、画像データベース管理手段１０ａからＩＤコードに関連付けられた画像データが夫々前記プリント管理手段１４に送られる。さらに、前記プリント管理手段１４により、受信した画像データに付加された商品管理情報に基づいて前記商品情報データベース管理手段１１ａから当該商品に関する商品情報が収集される。
【００２４】
前記商品情報データベース１１は、互いにコーディネート可能な複数の商品情報にリンク情報が付加されて構成され、前記プリント管理手段１４は、前記商品情報データベース１１から前記試着商品及び前記試着商品とコーディネート可能な他の商品に対する商品情報をプリントデータとして取り込むように構成されている。
【００２５】
つまり、図５に示すように、ＩＤカードリーダ３により読み込まれた顧客ＩＤをキーとして顧客データベース７から顧客情報が取り込まれるとともに、画像データベース１０から撮影画像が取り込まれ、さらに取り込まれた撮影画像に付加された商品管理情報（商品ＩＤ）をキーとして当該試着商品の商品情報（メーカ、型式、価格等）、及び、当該試着商品とコーディネート可能な関連商品をキーとして関連商品の商品情報が取り込まれるのである。
【００２６】
前記プリント管理手段１４には、さらに、取り込まれた画像データ及び商品情報のレイアウトを定める複数のテンプレートデータが記憶されたテンプレート記憶手段１６と、前記テンプレート記憶手段１６に記憶された任意のテンプレートに基づいて、前記画像データ及び前記商品情報をレイアウト表示する画像表示手段としての液晶モニタ１７とを備え、前記画像編集手段１２は、液晶モニタ１７に表示されたレイアウトを顧客の要望に基づいて編集するように構成されている。
【００２７】
以下にその手順を図７に基づいて説明する。係員により顧客のＩＤカードがＩＤカードリーダ３に挿入され読み取られると（Ｓ１，Ｓ２）、上述したように写真画像及び商品情報等が夫々のデータベース７，１０，１１からダウンロードされ、当該顧客に関して撮影された画像の全てがサムネイル画像として液晶モニタに表示される（Ｓ３）。
【００２８】
顧客が液晶モニタ１７を目視してプリントを望むサムネイル画像を係員に指示し、係員がマウスにより当該サムネイル画像を選択操作すると（Ｓ４）、当該試着商品に関する商品情報及びコーディネート可能な関連商品の商品情報、ここでは、商品番号、価格、商品の写真等のカタログ情報がモニタ１７に表示され（Ｓ５）、それらの商品情報のうち必要な情報（プリント出力する必要のある情報）が同様に選択されると（Ｓ６）、次に前記テンプレート記憶手段１６に記憶された任意のテンプレートの種類が表示される。好みのテンプレートを選択操作すると（Ｓ７）、テンプレートと当該サムネイル画像と商品情報が表示されるので、当該サムネイル画像及び商品情報をドラッグアンドドロップ操作によりテンプレートに貼付け編集する（Ｓ８）。その結果、例えば、図８に示すようなレイアウトが完成すると当該レイアウト画面に基づいたプリントファイルが生成される（Ｓ９）。同様の操作を選択されたサムネイル画像毎に繰り返し、必要なプリントファイルが生成されると（Ｓ１０）、編集作業を終了し、料金支払いと交換に昇華型写真プリンタ１３から写真プリントが出力される（Ｓ１１）。
【００２９】
上述の写真プリントは、複数枚をアルバム本のように綴処理（製本化）して提供するものであってもよい。尚、画像出力手段１３は昇華型写真プリンタ以外にインクジェットプリンタであってもよいし、銀塩式の写真プリンタであってもよい。銀塩式の写真プリンタの場合には、プリントファイルを外部のラボショップにネットワークを介して伝送し、後日顧客に手渡し、または郵送するように構成することも可能である。
【００３０】
このようにして仕上がった写真は、単に試着状態を判断するためにのみ使用されるものではなく、記念写真として、さらには、次に購買するための参考アルバムとしても使用でき、第三者に購入を依頼するときの案内写真、例えば、子供の試着写真である場合に祖父や祖母からの誕生日プレゼントのための案内写真（何処のメーカのどのような製品なのかを判断するための写真）としても使用できるものである。
【００３１】
さて、前記試着商品４に設けられた電子タグ４ａに記憶された商品特定データを読み取る電子タグ読取手段５と同様の電子タグ読取手段１５ｂは、撮影エリア８にのみ配置されるものではなく、図１及び図２に示すように、フィッティングルームＦＲの出入り口やエスカレータＥの近辺にも設置され、図３に示すように、それら電子タグ読取手段１５ｂにより読み取られた商品管理情報が、検出された電子タグ読取手段１５ｂの識別情報とともに警備室等に設置された商品管理手段１５に送られるように構成されている。
【００３２】
商品管理手段１５は、商品情報データベース１１に接続され、図５に示すように、該当商品ＩＤで特定されるレコードの所在情報フィールドに、検出された電子タグ読取手段１５ｂの識別情報が記憶されるように構成され、以って、各商品が売り場の何処にあるのかの直近の位置をモニタできるように構成されている。つまり、電子タグ４ａに記憶された商品特定データを読み取り、前記試着商品４の移動を管理する商品管理手段１５となる。また、エスカレータＥの近辺に設置された電子タグ読取手段１５ｂに盗難防止用の警報機等を設けて、盗難防止装置として機能させることも可能である。
【００３３】
また、商品情報データベース１１の商品ＩＤで特定されるレコードに試着回数情報フィールドを設けて、フィッティングルームＦＲの出入り口に設置された電子タグ読取手段１５ｂによって検出される度に、当該商品の試着回数情報フィールドのデータをカウントアップする、つまり、試着回数を管理するように構成してあり、これにより、人気商品の傾向を把握することや、試着回数の多い商品を売り場から除去してアウトレットに搬出するような商品管理を可能にしてある。
【００３４】
以下、本発明の別実施形態を説明する。上述した実施形態では、一つのフロアで複数の店が営業するアパレル専門店や百貨店にシステムを構築したものを説明したが、単独の店舗で売り場面積の大きなアパレルショップに適用することも可能である。
【図面の簡単な説明】
【００３５】
【図１】本発明による試着状態撮影システムが構築された店舗の平面図
【図２】フィッティングルーム近傍の説明図
【図３】本発明による試着状態撮影システムのシステム構成図
【図４】要部のシステム構成図
【図５】データベースにより管理されるレコードの構成図
【図６】試着状態の撮影手順を示すフローチャート
【図７】写真プリントの編集作業を示すフローチャート
【図８】編集後のプリント画像の説明図
【符号の説明】
【００３６】
１：試着者
２：撮影手段
３：試着者登録手段
４：試着商品
４ａ：電子タグ
５：電子タグ読取手段
６：試着商品登録手段
８：撮影エリア
１０：画像データベース
１１：商品情報データベース
１２：画像編集手段
１３：画像出力手段
１４：プリント管理手段
１６：テンプレート記憶手段
【図１】
2006079143.tif 000003
【図２】
2006079143.tif 000004
【図３】
2006079143.tif 000005
【図４】
2006079143.tif 000006
【図５】
2006079143.tif 000007
【図６】
2006079143.tif 000008
【図７】
2006079143.tif 000009
【図８】
2006079143.tif 000010